(57)【特許請求の範囲】
【請求項１】
垂直または急勾配の植生緑化面を構成する緑化盤において、表面に多孔性の無機粒状物を設けた透水層の裏面に活着層を介して上部が下部よりも密度の高い保水層を備えると共に該保水層の裏面を防水カバーで覆い、前記透水層の上部には前記活着層と前記保水層との上端を被せる覆部が形成されたことを特徴とする緑化盤。
【請求項２】
前記多孔性の無機粒状物は軽石等の多孔質粒状石材であることを特徴とする請求項１記載の緑化盤。
【請求項３】
前記透水層は粒状弾性材を接着硬化材で固化して成ることを特徴とする請求項１または２記載の緑化盤。
【請求項４】
前記活着層はフェルトから成ることを特徴とする請求項１、２または３記載の緑化盤。
【請求項５】
前記緑化盤の表面には前記活着層に至る植穴が形成されたことを特徴とする請求項１、２、３または４記載の緑化盤。
【請求項６】
前記保水層は吸水性及び保水性に優れた海綿状の材料であって肉厚から徐々に肉薄になる厚さのものを均等な厚さに圧縮することによって高密度から徐々に粗密度となるようにしたものを前記高密度側を上方にし、前記粗密度側を下方にして用いることを特徴とする請求項１、２、３、４または５記載の緑化盤。
【請求項７】
前記防水カバーは防水シートから成ることを特徴とする請求項１、２、３、４、５または６記載の緑化盤。
【請求項８】
前記防水カバーは前記保水層の水分の流下を止める複数の仕切片を内側に突出して成ることを特徴とする請求項１、２、３、４、５または６記載の緑化盤。
【請求項９】
表面に多孔性の無機粒状物を設けた透水層の裏面に活着層を介して上部が下部よりも密度の高い保水層を備えると共に該保水層の裏面を防水カバーで覆い、前記透水層の上部には前記活着層と前記保水層との上端を被せる覆部が形成されて成る緑化盤に植物を根付かせたものを道路の側壁に沿って垂直または急勾配に設けることにより、該緑化盤の表面及び覆部に走行車の路面からの水しぶきがかかることによって浸透した水分を前記保水層にて保水するようにしたことを特徴とする道路側壁の緑化方法。
【発明の詳細な説明】
【０００１】
【発明の属する技術分野】
本発明は、植物を根付かせた人工の緑化盤を屋外の壁面または高速道路等の道路の側壁等に垂直または急勾配に取り付けて緑化を促進すると共に、降水または路面に溜った雨水等による水分供給及び水分保持を可能とした緑化盤及び道路側壁の緑化方法に関するものである。
【０００２】
【従来の技術】
従来から、垂直または急勾配の壁面または屋根面等の外部環境は、植生緑化を行うのに困難な箇所であったが、近年になって、このような箇所に多肉性乾燥植物等を植生することによって緑化を促進することが行われている。
【０００３】
このような植生緑化を実施するために、従来は、コンクリート等の垂直または急勾配の壁面に植物繊維を固定して、これに多肉性乾燥植物等の根付けを行うようにした例があるが、植物繊維は腐食するため、根付けをした植物が壁面から剥れてしまうという問題点があった。
【０００４】
このような問題点を解消するために開発されたものとして、例えば、本出願人による特願２０００−１９８１１３号に記載の緑化盤がある。
【０００５】
この緑化盤は、図８(a) 、(b) に示すように、必要量の粒状弾性材３１を接着硬化材で固化して成る所定形状の透水性固化体３２の表面に多孔質粒状材３３を固着し、多孔質粒状材３３、３３間に設けた根部活着層３４に植物３５を根付かせ、さらに多孔質粒状材３３、３３…の孔部と透水性固化体３２の隙間に根をはらせるようにしたものである。このような緑化盤３０は、各構成材料を腐食しない材料で構成してあるため、戸外の長期間使用においても腐敗することなく使用することができる。
【０００６】
さらに、図７(a) 、(b) に示すように、このような緑化盤３０をコンクリート壁面４０等にボルト３９等によって垂直または急勾配に取り付ける場合、降水時の雨水を緑化盤３０の面側で受けるには吸水量が少なく、しかも吸水した水の重力落下によって植物の成育に必要な保水量が不足するおそれがある。
【０００７】
このような問題点を解消するために、上記の緑化盤３０においては、緑化盤３０の上端に設けられた配管受３７に配水管３８を設けると共に、緑化盤３０の内部に設けられた浸水材３６を配管受３７に連通することにより、配水管３８から供給される水を浸水材３６を介して緑化盤３０の多孔質粒状材３３と透水性固化体３２に浸透させて、植物の成育に必要な水分供給を行うようにしている。
【０００８】
【発明が解決しようとする課題】
ところで、上記の緑化盤３０に配水管３８を設けるには、そのための施工工事と設備費が必要となり、また日常的に水分供給のための水管理が必要になるという問題点があった。
【０００９】
さらに、都心の緑化政策が推奨されている今日において、高速道路等の道路の側壁や建物の壁面等のように土壌のない箇所に垂直または急勾配に緑化盤を取り付けることができ、しかも自然の雨水を何らかの手段で効率的に使用して水管理を不要とする緑化盤が要求されている。
【００１０】
本発明は上記の事情に鑑みてなされたもので、植物を根付かせた人工の緑化盤を屋外の壁面または高速道路等の道路の側壁等に垂直または急勾配に取り付け、降水または路面に溜った雨水等による水分供給及び水分保持を可能とした緑化盤を低コストで施工することができ、しかも施工後の水管理を不要とした緑化盤及び道路側壁の緑化方法を提供することを目的とする。
【００１１】
【課題を解決するための手段】
上記の課題を解決するために、本発明の請求項１の緑化盤は、垂直または急勾配の植生緑化面を構成する緑化盤において、表面に多孔性の無機粒状物を設けた透水層の裏面に活着層を介して上部が下部よりも密度の高い保水層を備えると共に該保水層の裏面を防水カバーで覆い、前記透水層の上部には前記活着層と前記保水層との上端を被せる覆部が形成されたことを特徴とする。
【００１２】
また、本発明の請求項２の緑化盤は、請求項１において、前記多孔性の無機粒状物は軽石等の多孔質粒状石材であることを特徴とする。
【００１３】
また、本発明の請求項３の緑化盤は、請求項１または２において、前記透水層は粒状弾性材を接着硬化材で固化して成ることを特徴とする。
【００１４】
また、本発明の請求項４の緑化盤は、請求項１、２または３において、前記透１において、前記活着層はフェルトから成ることを特徴とする。
【００１５】
また、本発明の請求項５の緑化盤は、請求項１、２、３または４において、前記緑化盤の表面には前記活着層に至る植穴が形成されたことを特徴とする。
【００１６】
また、本発明の請求項６の緑化盤は、請求項１、２、３、４または５において、前記保水層は吸水性及び保水性に優れた海綿状の材料であって肉厚から徐々に肉薄になる厚さのものを均等な厚さに圧縮することによって高密度から徐々に粗密度となるようにしたものを前記高密度側を上方にし、前記粗密度側を下方にして用いることを特徴とする。
【００１７】
また、本発明の請求項７の緑化盤は、請求項１、２、３、４、５または６において、前記防水カバーは防水シートから成ることを特徴とする。
【００１８】
また、本発明の請求項８の緑化盤は、請求項１、２、３、４、５または６において、前記防水カバーは前記保水層の水分の流下を止める複数の仕切片を内側に突出して成ることを特徴とする。
【００１９】
さらに、本発明の請求項９の道路側壁の緑化方法は、表面に多孔性の無機粒状物を設けた透水層の裏面に活着層を介して上部が下部よりも密度の高い保水層を備えると共に該保水層の裏面を防水カバーで覆い、前記透水層の上部には前記活着層と前記保水層との上端を被せる覆部が形成されて成る緑化盤に植物を根付かせたものを道路の側壁に沿って垂直または急勾配に設けることにより、該緑化盤の表面及び覆部に走行車の路面からの水しぶきがかかることによって浸透した水分を前記保水層にて保水するようにしたことを特徴とする。
【００２０】
【発明の実施の形態】
以下、本発明の実施例について図面を参照しながら説明する。
【００２１】
（実施例１）
本実施例の緑化盤１は、図１(a) 、(b) に示すように、垂直または急勾配の植生緑化面を構成する緑化盤１において、表面に多孔性の無機粒状物２を設けた透水層３の裏面に活着層４を介して上部が下部よりも密度の高い保水層５を備えると共に該保水層５の裏面を防水カバー６で覆い、透水層３の上部には活着層４と保水層５との上端を被せる覆部３ａが形成されたものである。
【００２２】
このような緑化盤１について詳細に述べると、図２に示すように、透水層３は必要量の粒状弾性材７を接着硬化材で固化することにより形成する。透水層３の厚さは粒状弾性材７の使用量によって容易に調整することができる。
【００２３】
粒状弾性材７としては、球状の発砲スチロール等の弾性を有する疎水性粒状材を用いるとよい。また、接着硬化材としてはセメントにモルタル接着強化剤と水とを混入して攪拌したものを用いるとよい。このような接着硬化材を粒状弾性材７に混入して攪拌すると、夫々の粒状弾性材７の周囲に付着した接着硬化材が互いに接着しあって透水層３が形成される。
【００２４】
上記の透水層３には透水性のための隙間が必要であり、透水層３の構成材料として上記のように球状の疎水性粒状弾性材７を使用すると共に、接着硬化材の粘性調整及び使用量調整によって粒状弾性材７、７間に隙間が形成され、全体として非常に軽量な透水層３を得ることができる。
【００２５】
また、透水層３の表面に、多孔性の無機粒状物２として、例えば軽石等のような多孔質の粒状石材または人工の粒状組成材等の透水性を有する多孔質粒状材を敷設して圧着することにより、透水層３の粒状弾性材７の周囲の接着硬化材によって固着することができ、これによって図２に示すように透水層３の表面を多孔性の無機粒状物２、２…で覆うことができる。
【００２６】
本発明においては、図１に示すように、上記の透水層３の上部には後述する活着層４と保水層５との上端を覆う覆部３ａが突出形成されている。この覆部３ａは、緑化盤１を垂直または急勾配に立てたときに、透水層３の覆部３ａが活着層４と保水層５との上端を覆うことによって、活着層４と保水層５とに吸水された水分の蒸発を防止するものである。
【００２７】
活着層４としてはフェルトを用いる。この活着層４は植物１０の根部１１を根付かせるために設けられ、緑化盤１の表面に活着層４に至る複数の植穴１２、１２…を形成することによって、該植穴１２に植物１０の根部１１を埋め込むと、植物１０の根部１１が活着層４にじかに根付かせることができる。
【００２８】
この際、植物１０が根付けされたポット（植栽用容器）から、その内部の土と共に根部１１を取り出して植穴１２に移植することも可能であり、このようなポット移植による場合は、植穴１２を移植すべき根部１１に応じた径に形成しておくとよい。
【００２９】
保水層５は吸水性及び保水性に優れた海綿状の材料として、例えばアクアフォーム（商品名）を用い、図３(a) に示すように、海綿状の材料を肉厚から徐々に肉薄になる厚さに形成しておき、これを均等な厚さに圧縮することによって、図３(b) に示すように、高密度から徐々に粗密度となるように変質させることができる。そして、この保水層５の高密度側を上方にし、粗密度側を下方にして立てると、上方の高密度側の保水性が下方の粗密度側のそれよりも高くなり、水分の重力落下を抑制して水分が上方に保存される期間を長く保つことが可能となる。
防水カバー６は、図４(a) に示すようにビニールシート等による防水シートによって構成してもよいし、図５に示すように、防水カバー６の内側に複数の仕切片６ａ、６ａ…を間隔をあけて内側に突出した構成にしてもよい。
【００３０】
いずれにしても、保水層５の裏面を覆うことによって保水層５の裏面からの水分の蒸発を防止することができる。
【００３１】
また、防水カバー６は、保水層５の裏面全体を覆う面積を有し、防水カバー６の両側部と底部には活着層４と保水層５の両側部と底部を覆う側辺６ｃ、６ｃと底辺６ｂとを形成してあり、これによって活着層４と保水層５の両側部及び底部からの水分の蒸発を防止するほか、成長した根部が外方に出るのを阻止することができる。
【００３２】
また、防水カバー６の底辺６ｂに複数の透孔６ｄ、６ｄ…を形成したことによって底辺６ｂ付近の水抜きを行い、底辺６ｂ付近にたまった水分によって腐敗が生じないようにしている。
【００３３】
さらに、防水カバー６の内側に多数の仕切片６ａ、６ａ…を設けた構成においては、図４(b) に示すように、夫々の仕切片６ａが保水層５に差し込まれた状態となって該保水層５における上方からの水分の流下を夫々の仕切板６ａ、６ａ…で抑制する機能を有するものである。
【００３４】
上記のような構成材料を用いて緑化盤１を形成するには、各層が互いに密着した固定状態に保持される必要がある。このため、平面状態に置いた防水カバー６の上部に下層から保水層５、活着層４、透水層３というように、上層へ向けて順次形成し、各層を互いに接着材で固定してもよいし、夫々の層を独立して形成しておき、組立の際、一括的にボルトを用いて固定するようにしてもよい。
【００３５】
上記の緑化盤１に、図１のような植物１０の根付けを行うには、緑化盤１を温室等の栽培所に平面状態に設置して、上記のように活着層４に至る植穴１２に根部を挿入し、活着層４や透水層３に植物が根をはった時点で、該緑化盤１を垂直または急勾配に立てた状態で使用する。
【００３６】
なお、本発明の緑化盤１に適する植物１０としては、セダム等の多肉性乾燥植物が挙げられるが、根付けが可能な限り他の植物にも適用することができる。
【００３７】
また、本発明による緑化盤１は、表面の多孔性の無機粒状物２、２…の隙間に土やピートモス等による根部活着層３４（図８参照）を埋め込んで植物１０を根付かせることも可能であるが、上記のように植穴１２を利用することのほうが、より速やかで確実な根付けを行うことが可能となる。
【００３８】
いずれにしても、防水カバー６は、植物１０の根部１１が活着層４に根をはり、さらには透水層３の隙間や軽石等の無機粒状物２の多孔部に進入することによって、緑化盤１を垂直または急勾配に立てたときでも、植物１０が緑化盤１から脱落することなく成長することができる。
【００３９】
また、本発明による緑化盤１を図１(a) に示すようにコンクリート壁面１４等に固定するには、緑化盤１の所定箇所に形成したボルト孔１５にボルト１６等の固定手段を通して固定することができる。
【００４０】
さらに、本発明による緑化盤１は、図１(b) に示すように、この緑化盤１の一部をフェンス１７等の金具１７ａにボルト１６で固定するようにしてもよい。
【００４１】
図１(a) の固定方法は、緑化盤１の裏面全体がコンクリート壁面１４で支持されるものであるが、図１(b) に示す固定方法は、取付け後の緑化盤１の裏面に支持物がないため、緑化盤１に高強度が要求される。しかして、曲げ検査の結果、緑化盤１の両端部のみの支持固定、さらには緑化盤１の下端部のみを支持固定して上方はフリーにした場合であっても、外部環境に充分耐え得る強度であることが確認されている。
【００４２】
緑化盤１に対して降雨による上方または斜方向からの雨水は透水層３の覆部３ａまたは表面の多孔性無機粒状物２と透水層３と活着層４とを経て保水層５に吸水され、さらには植穴１２から浸透する水分も含めて保水層５に吸収される。
【００４３】
本発明の緑化盤１は水平状に設置して使用することも可能であるが、垂直または急勾配に立てて使用する際に特有の給水作用を有するものである。
【００４４】
即ち、緑化盤１の保水層５は裏面が防水カバー６によって防水されると共に、垂直または急勾配に立てた緑化盤１の上方の高密度側の保水性が下方の粗密度側のそれよりも高いため、水分が上方に保存される期間を長く保つことが可能であり、乾燥状態に応じて保水層５における水分移動によって活着層４に対する水分供給を行うことができる。
【００４５】
（実施例２）
この実施例は、上記と同構成の緑化盤１に植物１０を根付かせたものを、図６に示すように、高速道路または通常の車道の側壁に沿って走行車１８の路面からの水しぶき１９がかかる高さに垂直または急勾配の植生緑化面を成すように設けたものである。
【００４６】
即ち、上記の路面からの水しぶき１９を道路側壁に沿う緑化盤１が受け、表面の多孔性無機粒状物２と透水層３と活着層４とを経て保水層５に吸水される。
【００４７】
また、路面からの水しぶき１９が放物線を描いて透水層３の覆部３ａにかかる場合、この覆部３ａを浸透する水分が活着層４と保水層５とに吸収される。
【００４８】
さらに、路面からの水しぶき１９は緑化盤１の表面から植穴１２を経て活着層４と保水層５に吸水される。
【００４９】
こうして吸収された水分は、上部が下部よりも高い密度で形成された保水層５の保水作用または防水カバー６の複数の仕切片６ａ、６ａ…によって、水分の重力落下を抑制した状態で水分を長期間保持し、乾燥状態に応じて植物の根部に給水することが可能となる。
【００５０】
【発明の効果】
以上説明したように、本発明による緑化盤は、表面に多孔性の無機粒状物を設けた透水層の裏面に活着層を介して上部が下部よりも密度の高い保水層を備えると共に該保水層の裏面を防水カバーで覆い、透水層の上部には活着層と保水層との上端を被せる覆部が形成されたもので、各構成材料が腐食しない材料で構成されているため、戸外での長期間の使用においても腐敗することがなく、この緑化盤を垂直または急勾配に立てた状態でコンクリート壁面や高速道路等の沿道に固定することができる。
【００５１】
また、緑化盤の構成材料は全体に軽量であって、施工箇所に継ぎ足していくことによってコンクリート壁面や高速道路等の沿道において広範囲にわたる造設が可能である。
【００５２】
このような緑化盤の立設状態において、保水層は裏面が防水カバーで覆われると共に、この保水層における上方の高密度側の保水性が下方の粗密度側のそれよりも高く形成されているため、水分の蒸発を防止すると共に、水分の重力落下を抑制して水分の保存期間を長く保つことが可能となり、自然の雨水等によって吸水された水分を長く保持することが可能となるもので、給水装置が不要であって、しかも水管理の必要がなく、低コストで緑化を促進することが可能となる。
【００５３】
また、防水カバーは防水シートによって構成するほか、内側に複数の仕切片を突出した構成とすることができ、この仕切片を設けた構成においては、夫々の仕切片が保水層に差し込まれた状態となって該保水層における上方からの水分の流下を夫々の仕切板で抑制することが可能となる。
【００５４】
さらに、本発明においては、緑化盤に植物を根付かせたものを高速道路等の道路の側壁に沿って垂直または急勾配に設けることにより、路面からの水しぶきが緑化盤の表面及び上部の覆部或は植穴より浸透して保水層に吸水される。そして、上部が下部よりも高い密度を有する保水層の保水作用及び防水カバーの多数の仕切片によって重力落下を抑制した状態で水分が長期間保持され、乾燥状態に応じて植物の根部に給水することが可能となる。
【図面の簡単な説明】
【図１】(a) は本発明の緑化盤をコンクリート壁面に固定した状態を示す断面図であり、(b) はフェンス等の金具に固定した状態を断面図である。
【図２】本発明による緑化盤の斜視図である。
【図３】(a) 、(b) は、本発明による緑化盤の保水層を説明するための図である。
【図４】(a) は本発明による緑化盤の防水カバーを防水シートによって構成した断面図であり、(b) は本発明による緑化盤の防水カバーを内側に複数の仕切片を有する構成とした断面図である。
【図５】発明による緑化盤の防水カバーに複数の仕切片を有する構成の斜視図である。
【図６】発明の道路側壁の緑化方法を示すものであり、緑化盤を高速道路等の沿道に設けた状況を示す斜視図である。
【図７】(a) は従来の緑化盤の正面図であり、(b) は断面図である。
【図８】(a) は従来の緑化盤の拡大断面図であり、(b) は緑化盤の植生状態を示す拡大断面図である。
【符号の説明】
１…緑化盤
２…無機粒状物
３…透水層
３ａ…覆部
４…活着層
５…保水層
６…防水カバー
７…無機粒状物
１０…植物
１１…根部
１２…植穴
１４…コンクリート壁面
１５…ボルト孔
１６…ボルト
１７…フェンス
１７ａ…金具
１９…水しぶき
【図１】
0003711448.tif 000002
【図２】
0003711448.tif 000003
【図３】
0003711448.tif 000004
【図４】
0003711448.tif 000005
【図５】
0003711448.tif 000006
【図６】
0003711448.tif 000007
【図７】
0003711448.tif 000008
【図８】
0003711448.tif 000009